(57)【要約】【課題】飲食物を提供する複数の店舗を備え、当該複数の店舗の客席を共有スペースとする施設若しくは、施設の集客方法。【解決手段】本発明の施設１００は、飲食客が搭乗し、共有スペース内を周遊することが可能な走行車両２００と、回転テーブル３００とを備える。回転テーブル３００は、回転装置３１０にテーブルを配置した構成である。回転装置は、基体の中央に配置された中央歯車とを備えた上部回転体を備える。そして、中央歯車を回転駆動可能な駆動モータ、上部回転体を支持するキャスタとが回転装置に備えられる。そして、走行車両と、回転テーブルとを共有スペースに配置することを特徴とする。【選択図】図１
2012020535.tif 000002
【特許請求の範囲】
【請求項１】
飲食物を提供する複数の店舗を備え、当該複数の店舗の客席を共有スペースとする施設の集客方法において、
飲食客が搭乗し、前記共有スペース内を周遊することが可能な走行車両と、
基体、前記基体の中央に配置された中央歯車とを備えた上部回転体、前記中央歯車を回転駆動可能な駆動モータ、前記回転体を支持するキャスタとを備える回転装置を備え、当該回転装置にテーブルを配置した回転テーブルとを前記共有スペースに配置することを特徴とする施設の集客方法。
【請求項２】
前記駆動モータが、前記共有スペースに固定される請求項1に記載の集客方法。
【請求項３】
前記回転装置に、前記駆動モータを固定した下部回転体を備え、中心軸を揃えて当該下部回転体に前記上部回転体を積層し、当該上部回転体を支持するキャスタを車輪を上にした状態で前記下部回転体に備える請求項１に記載の施設の集客方法。
【請求項４】
前記走行車両にテーブルを備えた請求項１に記載の施設の集客方法。
【請求項５】
前記中央歯車の代わりに、クランクが前記基体の上面中央に配置され、当該クランクを軸支する回転軸が前記駆動モータにより回転駆動可能であり、
前記上部回転体が偏心して回転する請求項１に記載の施設の集客方法。
【請求項６】
飲食物を提供する複数の店舗と、当該複数の店舗の客席を共有スペースとする施設において、
飲食客が搭乗し、前記共有スペース内を周遊することが可能な走行車両と、
基体、前記基体の中央に配置された中央歯車とを備えた上部回転体、前記中央歯車を回転駆動可能な駆動モータ、前記回転体を支持するキャスタとを備える回転装置を備え、当該回転装置にテーブルを配置した回転テーブルとを前記共有スペースに配置することを特徴とする施設。
【請求項７】
前記駆動モータが、前記共有スペースに固定される請求項６に記載の施設。
【請求項８】
前記基体、中央歯車、駆動モータとを備える下部回転体と、中心軸を揃えて当該下部回転体に上部回転体を積層し、当該上部回転体を支持するキャスタを車輪を上にした状態で前記下部回転体に備える回転装置とを備える請求項６に記載の施設。
【請求項９】
前記走行車両にテーブルを備えた請求項６に記載の施設。
【請求項１０】
前記中央歯車の代わりに、クランクが前記基体の上面中央に配置され、当該クランクを軸支する回転軸が前記駆動モータにより回転駆動可能であり、
前記上部回転体が偏心して回転する請求項６に記載の施設。
【発明の詳細な説明】
【技術分野】
【０００１】
本発明は、飲食設備を備えた施設及び、当該施設における集客方法に関する。
【背景技術】
【０００２】
現在、フードコート（隣接する多様な飲食店のブース及びセルフサービス形式の食事のための共有スペースを提供する屋内型広場を称する。以下同じ。）等の施設がショッピングモールや、空港内で急速に普及している。料理に関するメニュー毎に店舗が分けられ、客席を共通にする事ができるので、店舗毎に客席を備える必要がない。更に、客席部分（以下共有スペース）を広く設けることができるので家族連れの利用も多い。例えば、下記特許文献１には、呼出システムの技術に関して上記フードコートが開示されている。
【先行技術文献】
【特許文献】
【０００３】
【特許文献１】登録実用新案第３１５８８４２号公報
【発明の概要】
【発明が解決しようとする課題】
【０００４】
従来のフードコートは、様々なジャンルの料理を提供するために、共有スペースは無難なデザインにせざるを得なかった。そのため、顧客にすぐに飽きられてしまうという傾向が高かった。一方フードコートに来る顧客は家族連れも多く、共有スペースに、子供の興味を持続させる設備が設置されていると、子供のために、当該フードコートに来る頻度が高くなるであろう。本発明の目的は、複数の店舗が共通の客席（共有スペース）を有する施設において、顧客の興味を持続させることが可能な施設及び、当該施設における集客システムを提供することにある。
【課題を解決するための手段】
【０００５】
上記課題を達成するための本発明は、飲食物を提供する複数の店舗を備え、当該複数の店舗の客席を共有スペースとする施設の集客方法を前提とする。そして、本発明の施設の集客方法は、飲食客が搭乗し、共有スペース内を周遊することが可能な走行車両と、回転テーブルとを備える。回転テーブルは、回転装置にテーブルを配置した構成である。回転装置は、基体、当該基体の中央に配置された中央歯車とを備えた上部回転体を備える。そして、中央歯車を回転駆動可能な駆動モータ、上部回転体を支持するキャスタとが回転装置に備えられる。当該回転装置にテーブルを配置することで回転テーブルが構成され、走行車両と、回転テーブルとを共有スペースに配置することを特徴とする。【０００６】
上記の構成であると、駆動モータにより、中央歯車が回転することで、上部回転体が回転する。更に、キャスタが上方からの荷重を支持することで、上方からの荷重に強い小型の回転装置を複雑な機構を必要とせずに、簡単に構成することが可能となる。更に、共有スペースに走行車両を配置することで、飲食客が走行車両に搭乗することが可能となる。
上記の構成において、駆動モータは、共有スペースに固定される構成を採用してもよい。若しくは、回転装置に、駆動モータを固定する下部回転体を備え、中心軸を揃えて当該下部回転体に上部回転体を積層する。そして、上部回転体を支持するキャスタを車輪を上にした状態で下部回転体に備える構成を採用してもよい。【０００７】
上記の構成において、走行車両にテーブルを備える構成を採用すると、飲食客が車両に搭乗した状態で食事することが可能となる。更に、中央歯車の代わりに、クランクが基体の上面中央に配置され、当該クランクを軸支する回転軸が駆動モータにより回転駆動可能
である構成を採用することで、上部回転体が偏心して回転する回転装置が構成される。【０００８】
上記課題を達成するための更に別の発明は、飲食物を提供する複数の店舗と、当該複数の店舗の客席を共有スペースとする施設を前提とする。そして、本発明の施設は、飲食客が搭乗し、共有スペース内を周遊することが可能な走行車両と、回転テーブルとを備える。回転テーブルは、基体、当該基体の中央に配置された中央歯車とを備えた上部回転体を備える。そして、中央歯車を回転駆動可能な駆動モータ、上部回転体を支持するキャスタとが回転装置に備えられる。当該回転装置にテーブルを配置することで回転テーブルが構成され、走行車両と、回転テーブルとを共有スペースに配置することを特徴とする。【０００９】
上記の構成において、駆動モータは、共有スペースに固定される構成を採用してもよい。若しくは、回転装置に、駆動モータを固定する下部回転体を備え、中心軸を揃えて当該下部回転体に上部回転体を積層する。そして、上部回転体を支持するキャスタを車輪を上にした状態で下部回転体に備える構成を採用してもよい。
上記の構成において、走行車両にテーブルを備える構成を採用しても構わない。更に、中央歯車の代わりに、クランクが基体の上面中央に配置され、当該クランクを軸支する回転軸が駆動モータにより回転駆動可能である構成を採用することで、上部回転体が偏心して回転する回転装置が構成される。【００１０】
上記の構成において、遊具本体に電力を供給するスリップリングを回転装置に備える、ことが望ましい。遊具用回転装置が回転しているとしても、当該回転装置上方に配置された遊具本体に電力を供給することが可能となる。更に、回転装置の駆動モータの回転軸に装着されて、回転軸の駆動トルクが予め定められた以内になるように制御するトルクリミッタを備えてもよい。【００１１】
共有スペースに遊具を配置する構成を採用しても構わない。例えば、登り棒及び、回転遊具や、鉄棒、滑り台、ぶらんこ、ジャングルジム、うんてい、シーソー、ジャングルジムのような遊具及び、当該遊具の組み合わせを本発明の共有スペースに配置した施設若しくは、施設の集客方法とする構成を採用しても構わない。
【発明の効果】
【００１２】
本発明は、飲食物を提供する複数の店舗を備え、当該複数の店舗の客席を共有スペースとする施設若しくは、施設の集客方法である。そして、本発明の施設は、飲食客が搭乗し、共有スペース内を周遊することが可能な走行車両と、回転テーブルとを備える。回転テーブルは、基体、当該基体の中央に配置された中央歯車とを備えた上部回転体を備える。そして、中央歯車を回転駆動可能な駆動モータ、上部回転体を支持するキャスタとが回転装置に備えられる。当該回転装置にテーブルを配置することで回転テーブルが構成され、走行車両と、回転テーブルとを共有スペースに配置することを特徴とする。【００１３】
上記の構成であると、駆動モータにより、中央歯車が回転することで、上部回転体が回転する。更に、キャスタが上方からの荷重を支持することで、上方からの荷重に強い小型の回転装置を複雑な機構を必要とせずに、簡単に構成することが可能となる。更に、共有スペースに走行車両を配置することで、飲食客が走行車両に搭乗することが可能となるので上記回転テーブル及び走行車両を目当てに家族連れの飲食客を本発明の施設に集めることができる。
【図面の簡単な説明】
【００１４】
【図１】本発明の実施形態に係る施設の全体構成を示す概念図である。
【図２】本発明の実施形態に係る施設に備えられる走行車両の全体構成を示す概念図である。
【図３】本発明の実施形態に係る施設に備えられる回転装置の全体構成を示す概念図である。
【図４】本発明の実施形態に係る施設に備えられる回転テーブルの全体構成を示す概念図である。
【図５】本発明の実施形態に係る施設に備えられる回転テーブルの全体構成を示す概念図である。
【図６】本発明の実施形態に係る施設に備えられる回転装置の全体構成を示す概念図である。
【図７】本発明の実施形態に係る施設に備えられる回転テーブルの全体構成を示す概念図である。
【発明を実施するための形態】
【００１５】
以下に、本発明の施設１００について図面を参照して説明する。図１は、本発明の施設１００の全体構成を示す概略模式図であり、図２は本発明の施設１００に備えられる走行車両２００の図面であり、図３、図４、図５は、本発明の施設１００に備えられる回転テーブル３００を説明する図面を示している。ただし、本発明に直接には関係しない各部の詳細は省略している。
【００１６】
（走行車両）
本発明の施設１００はいわゆるフードコートに見られるような、複数の店舗が客席を共通にする構成を備えた施設を想定している。そして、本発明の施設１００は施設１００内の客席を周遊することが可能な走行車両２００と、回転装置３１０上に設けたテーブルを備える。まず、上記走行車両２００を説明する。
【００１７】
本発明の走行車両２００は一の先頭車両２１０と、一若しくは複数の後続車両２２０を備える。上記走行車両２００に備える先頭車両２１０には、後続車両２２０を連結して施設１００内を周遊するために、駆動モータを備える。そして、先頭車両２１０に備えた駆動車輪を上記駆動モータが駆動することになる。上記先頭車両２１０には、当該先頭車両２１０を運転する運転手が着座する運転座席とを備え、更に、上記駆動車輪を制御可能なハンドルを、上記運転座席に着座した状態で操作可能な位置に備えることは言うまでもない。
【００１８】
上記先頭車両２１０の後続には、複数の後続車両２２０が連結される。例えば、上記後続車両２２０の外側両端には、上記先頭車両２１０若しくは、他の後続車両２２０に連結可能な構成（連結部材）を備える。更に、上記後続車両２２０には、着座可能な後続座席２２５と、所定高さのテーブル２２２が設けられる。上記後続車両２２０の内、いずれか一の後続車両２２０と上記先頭車両２１０とが、上記連結部材により連結され、当該一の後続車両２２０に後段の後続車両２２０が連結される。必要な台数分の後続車両２２０を連結することにより、本発明の走行車両２００が構成される。本発明では、後続車両２２０内にテーブル２２２を設け、飲食客が後続車両２２０内で食事可能な構成を採用した。更に、後続車両２２０のドアについて、ドアを閉めた状態で料理等を車両２２０のテーブルに配置可能な隙間を上記ドアに形成した。例えば、左右のドアを観音扉状に構成し、当該観音扉を閉めた状態で車両２２０内のテーブル２２２に料理皿等が配置可能な程度の隙間を形成する構成を採用した。
【００１９】
更に、後続車両２２０の壁部から突出するように座板を取り付けて椅子（後続座席）２２５とする。上記座板を壁部（飲食客が着座可能な程度の高さである）に取り付けることになる。
（回転テーブル）
図１に示すように、本発明の施設１００には回転した状態で食事可能な回転テーブル３
００を備える。例えば、回転装置３１０にテーブル２２２及び椅子２２５を配置することで、上記回転テーブル３００が構成される。すなわち、回転装置３１０が回転することで上記テーブル及び椅子が回転することになる。上記回転装置３１０は、上部回転体と、下部回転体とを備える。上部回転体は、上部基板３１１（図３では円形状の基板３１１を示しているが、回転に支障がなければ矩形や多角形形状であっても構わない。）を備える。なお、当該上部基板３１１には、後述のキャスタ３２４が回転するためのレール（図示しない）を配置する構成を採用しても構わない。
【００２０】
下部基板３２０は、中央歯車３２７と、当該中央歯車３２７を駆動する駆動モータ３２６と、キャスタ３２４とを備える。まず、下部回転体用の下部基板３２０（本発明では円形形状を採用したがその形状は任意である）を上面視したとき、中心となる位置に、中央歯車３２７を配置する。もちろん当該歯車３２７の回転軸と上記下部基板３２０の中心軸を一致させるように配置する。そして、上記中央歯車３２７の近傍に駆動モータ３２６を配置する。中央歯車３２７が駆動モータ３２６によって回転可能なように、中央歯車３２７と、駆動モータ３２６の回転軸とに対してローラーチェーンが巻き掛けられ、当該駆動モータ３２６の回転軸が回転すると、上記ローラーチェーンを介して上記中央歯車３２７が回転するように構成した。
【００２１】
更に、上記下部回転体には、上記中央歯車３２７及び駆動モータ３２６と同一面上に、複数のキャスタ３２４が配置される。上記複数のキャスタ３２４は、対向するキャスタ３２４が、下部回転体（下部基板３２０）の中心に関して対称となる位置に配置され、隣接するキャスタ３２４間が等間隔になるように配置する。
当該キャスタ３２４の回転に応じて上部基板３１１が回転することになる。従って、本発明では下部基板３２０の上記キャスタ３２４が上部基板３１１を支持する構成となる。
【００２２】
次に、上部基板３１１と下部基板３２０を組み合わせる。まず、上記キャスタ３２４、中央歯車３２７、駆動モータ３２６が配置された面を上にした状態で、下部基板３２０を床面に配置する。そして、下部基板３２０、上部基板３１１の中心が重なるように、上記下部基板３２０の上に、上部基板３１１を積層する。このとき、下部基板３２０の中央歯車３２７が回転すると、上部基板３１１が回転するように、上記中央歯車３２７を上部基板３１１に嵌合することで、本発明の回転装置３１０を構成する。なお、メンテナンスのために、上記中央歯車３２７が、上部基板３１１に取り外し可能に嵌合されることが望ましい。
【００２３】
上記のように構成された回転装置３１０にテーブル２２２、椅子２２５を配置することで回転テーブル３００が構成される。なお、図５に示すように、上記回転装置３１０に支柱３３２に支持された屋根３３５を配置する構成を採用することもできる。
駆動モータ３２６の作動をさせるためのスイッチ（図示せず）を回転装置３１０に設け、当該スイッチにより駆動モータ３２６の回転速度を制御可能となるように構成しても構わない。更に、本発明では、下部基板３２０に配置された駆動モータ３２６の回転数は、インバータ（図示しない）により制御可能な構成を採用した。制御部には、予め最適な回転数を記憶しており、当該回転数に基いて駆動モータ３２６が回転駆動される構成が採用できる。
【００２４】
更に、上記中央歯車３２７の下方には、トルクリミッタ（図示せず）及び、スリップリングを配置し、当該トルクリミッタ、スリップリングを介して、回転装置３１０を回転する構成となっている。
すなわち、例えば、駆動モータ３２６の出力軸（回転軸）と中央歯車３２７との間には過剰なトルクから駆動モータ３２６を保護するトルクリミッタと、回転トルクを検出するトルクセンサとが設けられている。なお、トルクセンサとしては、接触式のトルクセンサ
を用いてもよく、あるいはまた非接触式のトルクセンサを用いるようにしてもよい。上記トルクセンサによって検出されるトルクが予想範囲を超えた場合には、トルクリミッタにより、駆動モータ３２６からの回転動力が中央歯車３２７に伝達されないようになっている。
【００２５】
なお、上記下部基板３２０上に駆動モータ３２６を配置する代わりに、当該駆動モータ３２６を床面に固定する構成を採用することもできる。例えば、アンカー等で駆動モータ３２６床面上に固定し、上部基板３１１下面にキャスタ３２４を下向き（床面にキャスタ３２４の車輪が接する向き）に固定する構成を採用することができる。下部基板３２０を採用した構成を図7に示し、図４、図５には、上記下部基板３２０の代わりに駆動モータ
３２６を床面に固定する構成を示した。
【００２６】
（実施の形態２）
実施の形態１に使用した回転装置３１０の構成を以下のように構成することにより偏心して回転する回転テーブル３００を構成することが可能となる。なお、後述の偏心軸以外については実施の形態１で説明した回転テーブル３００と同じ構成を採用する。従って偏心軸以外の構成については図示及び説明を省力する。
【００２７】
図６に示すように、駆動モータ３２６の回転軸に後述の偏心軸を用いる。すなわち、図８（Ｂ）に示すように、駆動モータ３２６の回転軸に対して所定距離ずれた軸とを結ぶ柄からなる偏心軸（例えば、クランク３２８）を上記駆動モータ３２６に備えることで、当該駆動モータの回転軸を所定の範囲ずらすように構成することができる。
すなわち、クランク３２８の一方端は駆動モータ３２６の回転軸と同じ軸上で回転し、クランク３２８の他端は、当該回転軸に対して偏心して回転することになる（回転軸がずれた状態で回転することを意味する）。もちろん、駆動モータ３２６の作動をさせるためのスイッチ（図示せず）が回転装置３１０に設けられることは言うまでもない。当該スイッチにより駆動モータ３２６の回転速度を制御可能となるように構成しても構わない。もちろん図６に示す回転装置３１０は、上部回転体（上部基板３１１）と、下部回転体（下部基板３２０）とを備える。そして、上部回転体は、円形状の基板であり、下部回転体は、中央歯車３２７と、当該中央歯車３２７を駆動する駆動モータ３２６と、複数のキャスタ３２４とを備え、各キャスタ３２４が上部回転体を支持することは言うまでもない。
【００２８】
上記上部回転体の自転を規制するための規制手段を設けることもできる。当該規制手段は、駆動モータ３２６が配置された下部基板３２０と、上部基板３１１とを連結する弾性体（ゴムやバネ等が好適に用いられる）を用いることができる。なお、規制手段は、上部回転体の自転を規制するように構成できれば、その配置方法は任意である。
なお、上記下部基板３２０上に駆動モータ３２６を配置する代わりに、当該駆動モータ３２６を床面に固定する構成を採用することもできる。例えば、アンカー等で駆動モータ３２６床面上に固定し、上部基板３１１下面にキャスタ３２４を下向き（床面にキャスタ３２４の車輪が接する向き）に固定する構成を採用することができる。
【００２９】
（その他）
本発明の施設１００には、実施の形態１，２で説明した走行車両２００及び、回転テーブル３００の他に、鉄棒、ジャングルジム、うんてい、シーソーのような遊具及び、当該遊具の組み合わせを備えることで、室内遊園地型の施設１００若しくは、室内遊園地型の施設の集客方法として構成することも可能である。
【産業上の利用可能性】
【００３０】
本発明は、飲食物を提供する複数の店舗と、当該複数の店舗の客席を共有スペースとする施設若しくは、施設の集客方法である。そして、本発明の施設は、走行車両と回転テー
ブルとを備える。走行車両は、飲食客が搭乗し、共有スペース内を周遊することが可能な車両である。回転テーブルは、回転装置にテーブルを配置したテーブルであり、当該回転装置は、下部回転体と上部回転体とを備える。下部回転体は。基体及び、当該基体の上面中央に配置された中央歯車、当該中央歯車を回転駆動可能な駆動モータとを備える。上部回転体は、中心軸を揃えて下部回転体に積層され、その車輪を上にした状態でキャスタが下部回転体に備えることで、上部回転体を支持する構成となっている。そして、走行車両と回転テーブルとを共有スペースに配置することを特徴とする。【００３１】
上記の構成であると、駆動モータにより、中央歯車が回転することで、上部回転体が回転する。更に、キャスタが上方からの荷重を支持することで、上方からの荷重に強い小型の回転装置を複雑な機構を必要とせずに、簡単に構成することが可能となる。更に、共有スペースに走行車両を配置することで、飲食客が走行車両に搭乗することが可能となるので上記回転テーブル及び走行車両を目当てに家族連れの飲食客を本発明の施設に集めることができるので、その産業上の利用可能性は大きい。
【符号の説明】
【００３２】
１００  施設
１１０  店舗
２００  走行車両
２１０  先頭車両
２２０  後続車両
３００  回転テーブル
３１０  回転装置
３１１  上部回転体
３２０  下部回転体
３２７  中央歯車
３２６  中央歯車駆動モータ
３２４  キャスタ
【図１】
2012020535.tif 000003
【図２】
2012020535.tif 000004
【図３】
2012020535.tif 000005
【図４】
2012020535.tif 000006
【図５】
2012020535.tif 000007
【図６】
2012020535.tif 000008
【図７】
2012020535.tif 000009
【国際調査報告】
2012020535.tif 000010
2012020535.tif 000011
2012020535.tif 000012